(57)【特許請求の範囲】
【請求項１】
画素毎にＲＧＢの各カラーフィルタが一定方向に配列されたディスプレイと、ディスプレイの前面に配置される偏光光学部材であって、ディスプレイが持つ画素に対応して交互に配列された左眼用光学領域及び右眼用光学領域を持ち、該左眼用光学領域及び右眼用光学領域がディスプレイからの光を通過させるときに互いに直交する偏光軸の光に変換する偏光光学部材と、両眼視機能検査視標を含む視標を選択する視標選択手段と、両眼視機能検査視標が選択されたときに前記ディスプレイの表示を制御し、前記左眼用光学領域に対応した画素に左眼用視標を表示させ、前記右眼用光学領域に対応した画素に右眼用視標を表示させる表示制御手段と、を備える視標呈示装置において、
前記ディスプレイには、画素毎のＲＧＢの各カラーフィルタが縦方向に順に並べられように配置され、前記偏光光学部材の左眼用光学領域及び右眼用光学領域は、ディスプレイが持つ画素に対応して縦方向に延びるライン状に横方向に交互に配列され、
前記表示制御手段は、選択された両眼視機能検査視標の右眼用視標を右眼に視認させるために、右眼用視標に対応した縦方向に延びるライン状の前記右眼用光学領域の画素を黒色で表示すると共に前記左眼用光学領域の画素を白地で表示し、両眼視機能検査視標の左眼用視標を左眼に視認させるために、左眼用視標に対応した縦方向に延びるライン状の前記左眼用光学領域の画素を黒色で表示すると共に前記右眼用光学領域の画素を白地で表示するように、前記ディスプレイの表示を制御することを特徴とする視標呈示装置。
【請求項２】
請求項１の視標呈示装置は、前記ディスプレイに表示する方向性を持つ視標データを記憶する記憶手段を備え、前記表示制御手段は前記視標選択手段の選択信号に基づいて前記記憶手段に記憶された視標データを呼び出してディスプレイに視標を表示させる手段であり、前記ディスプレイは、画素の表示信号が左端から右端へ走査されると共にＲＧＢの各カラーフィルタが横方向に順に並べられたディスプレイを時計回り又は反時計回りに９０度回転されて配置されたディスプレイであり、前記視標データは前記ディスプレイの回転に対して反対方向に９０度回転されたデータとして前記記憶手段に記憶されていることを特徴とする視標呈示装置。
【請求項３】
請求項１の視標呈示装置において、前記ディスプレイは、画素の表示信号が左端から右端へ走査されると共にＲＧＢの各カラーフィルタが横方向に順に並べられたディスプレイを時計回り又は反時計回りに９０度回転されて配置されたディスプレイであり、前記表示制御手段は、前記視標選択手段により方向性を持つ視標が選択されたときには、選択された視標の方向と前記ディスプレイに表示される視標の方向とを一致させるように、前記ディスプレイの回転情報に基づいて表示を制御することを特徴とする視標呈示装置。
【請求項４】
請求項１の視標呈示装置において、前記ＲＧＢの各カラーフィルタは、前記左眼用光学領域及び右眼用光学領域の境界にある画素を白色表示させるときに、前記偏光光学部材との隙間の影響によって前記左眼用光学領域及び右眼用光学領域の一方の画素から漏れる光が白色光となるように、前記境界部分で画素毎に同色の配置であることを特徴とする視標呈示装置。
【発明の詳細な説明】
【技術分野】
【０００１】
本発明は、視力検査視標、両眼視機能検査視標等を呈示する視標呈示装置に関する。
【背景技術】
【０００２】
視表呈示装置においては、ディスプレイの画面に種々の検査視標が表示されるディスプレイタイプの装置が実用化されている（例えば、特許文献１参照）。このディスプレイを使用した視標呈示装置においては、両眼視機能検査用の視標を呈示する際に、左眼と右眼で異なる視標が呈示されるようにするために、特許文献２，３等に記載された３次元映像表示の技術を利用することができる。すなわち、ディスプレイが有する画素に対応して水平方向にライン状に配置された２種類の光学領域を持ち、ディスプレイからの光を通過させるときに互いに直交する偏光軸に変換するシート状の偏光光学部材をディスプレイの前面に配置すると共に、偏光光学部材を通過した光の偏光軸に一致した偏光軸を持つ偏光フィルタを被検者の左右の眼前にそれぞれ配置することにより、左眼と右眼で異なる視標が呈示され、両眼視機能検査が可能となる。
【特許文献１】特開２００６−４２９７８号公報
【特許文献２】特開平２００２−３１１３８５号公
【特許文献３】報特開平７−３２２３０４号公報
【発明の開示】
【発明が解決しようとする課題】
【０００３】
しかし、上記特許文献２，３の技術を利用した偏光光学部材をディスプレイの前面に配置し、両眼視機能検査視標をディスプレイに呈示しようとしたところ、次のようの問題が分かった。
【０００４】
図６は、液晶ディスプレイ３０とその前面に配置された偏光光学部材５０の縦断面の略図である。ディスプレイが持つ液晶３１の前側には、配向膜３２ｂ、透明電極３３ｂ、１画素毎にＲＧＢの各フィルタが配置されたカラーフィルタ４０、透明支持材３４ｂ、偏光板３５ｂが順に配置されている。偏光光学部材５０は、偏光板３５ｂの前に配置され、特許文献２と同じく、液晶ディスプレイからの光を通過させるときに、互いに直交する偏光軸に変換する２種類の光学領域５５ａ、５５ｂを持ち、ディスプレイが有する画素４２に対応して水平方向に交互にライン状に配置されている。
【０００５】
各画素４２の法線Ｐ０１方向の光は、それぞれ前面にある光学領域５５ａ，５５ｂにより互いに直交する偏光軸を持つ光に変換される。ここで、発光部の画素４２と偏光光学部材５０との間には透明支持材３４ｂの厚み分（１ｍｍ程）の隙間があるため、画素４２から出射した光は、法線Ｐ０１方向以外の方向Ｐ０２にも進み、上下方向で隣り合う光学領域に漏れ光として通過する。ディスプレイをほぼ法線方向Ｐ０１から見た場合は、漏れ光が眼に入らないため、光学領域５５ａ，５５ｂからの所期する両眼視機能検査視標の光が眼に届く。しかし、眼の高さが変化するに従って隣の光学領域からの漏れ光が眼に入りやすくなり、左右眼でそれぞれ分離して見せるべき視標が分離せずに見えてしまう。この場合には、精度良く両眼視機能検査を行えなくなる。
【０００６】
本発明は、上記従来技術の問題点に鑑み、被検眼の高さの違いによる両眼視機能検査視標の見え方の差を極力低減し、精度良く検査が行える視標呈示装置を提供することを技術課題とする。
【課題を解決するための手段】
【０００７】
本発明は、上記課題を解決するために、以下のような構成を備えることを特徴とする。
（１）  画素毎にＲＧＢの各カラーフィルタが一定方向に配列されたディスプレイと、ディスプレイの前面に配置される偏光光学部材であって、ディスプレイが持つ画素に対応して交互に配列された左眼用光学領域及び右眼用光学領域を持ち、該左眼用光学領域及び右眼用光学領域がディスプレイからの光を通過させるときに互いに直交する偏光軸の光に変換する偏光光学部材と、両眼視機能検査視標を含む視標を選択する視標選択手段と、両眼視機能検査視標が選択されたときに前記ディスプレイの表示を制御し、前記左眼用光学領域に対応した画素に左眼用視標を表示させ、前記右眼用光学領域に対応した画素に右眼用視標を表示させる表示制御手段と、を備える視標呈示装置において、
前記ディスプレイには、画素毎のＲＧＢの各カラーフィルタが縦方向に順に並べられように配置され、前記偏光光学部材の左眼用光学領域及び右眼用光学領域は、ディスプレイが持つ画素に対応して縦方向に延びるライン状に横方向に交互に配列され、前記表示制御手段は、選択された両眼視機能検査視標の右眼用視標を右眼に視認させるために、右眼用視標に対応した縦方向に延びるライン状の前記右眼用光学領域の画素を黒色で表示すると共に前記左眼用光学領域の画素を白地で表示し、両眼視機能検査視標の左眼用視標を左眼に視認させるために、左眼用視標に対応した縦方向に延びるライン状の前記左眼用光学領域の画素を黒色で表示すると共に前記右眼用光学領域の画素を白地で表示するように、前記ディスプレイの表示を制御することを特徴とする。
（２）  （１）の視標呈示装置は、前記ディスプレイに表示する方向性を持つ視標データを記憶する記憶手段を備え、前記表示制御手段は前記視標選択手段の選択信号に基づいて前記記憶手段に記憶された視標データを呼び出してディスプレイに視標を表示させる手段であり、前記ディスプレイは、画素の表示信号が左端から右端へ走査されると共にＲＧＢの各カラーフィルタが横方向に順に並べられたディスプレイを時計回り又は反時計回りに９０度回転されて配置されたディスプレイであり、前記視標データは前記ディスプレイの回転に対して反対方向に９０度回転されたデータとして前記記憶手段に記憶されていることを特徴とする。
（３）  （１）の視標呈示装置において、前記ディスプレイは、画素の表示信号が左端から右端へ走査されると共にＲＧＢの各カラーフィルタが横方向に順に並べられたディスプレイを時計回り又は反時計回りに９０度回転されて配置されたディスプレイであり、前記表示制御手段は、前記視標選択手段により方向性を持つ視標が選択されたときには、選択された視標の方向と前記ディスプレイに表示される視標の方向とを一致させるように、前記ディスプレイの回転情報に基づいて表示を制御することを特徴とする。
（４）  （１）の視標呈示装置において、前記ＲＧＢの各カラーフィルタは、前記左眼用光学領域及び右眼用光学領域の境界にある画素を白色表示させるときに、前記偏光光学部材との隙間の影響によって前記左眼用光学領域及び右眼用光学領域の一方の画素から漏れる光が白色光となるように、前記境界部分で画素毎に同色の配置であることを特徴とする。
【発明の効果】
【０００８】
本発明によれば、被検眼の高さの違いによる両眼視機能検査視標の見え方の差を極力低減することができ、また、色のにじみの発生も抑え、精度良く検査が行える。
【発明を実施するための最良の形態】
【０００９】
以下、本発明の実施例を図面に基づいて説明する。図１は視標呈示装置の外観略図である。視標呈示装置１の筐体２の前面には、視標呈示部３が配置されている。呈示部３は、被検者との距離が５ｍ等の遠方の検査距離に置かれた場合にも、所定サイズの視力検査視標、両眼視検査視標等の検査視標１０が表示可能な大きさを持つ画面を備える。内部には、液晶のカラーディスプレイ３０が配置され、ディスプレイ３０のサイズとしては１９インチ以上のものが好ましい。筐体２は壁掛けで使用できる薄型とされている。
【００１０】
筐体２の正面の下方には、リモコン４からの赤外光の通信信号を受信する受信部５が配置されている。呈示部３に表示される視標１０は、リモコン４の操作によって切り替えられる。また、両眼視機能検査時には、それぞれ直交する偏光軸を持つ偏光フィルタ６０Ｌ及び偏光フィルタ６０Ｒを持つ偏光眼鏡６０が使用され、被検者の左右の眼前に偏光フィルタ６０Ｌ及び偏光フィルタ６０Ｒが配置される。左眼用の偏光フィルタ６０Ｌは４５度方向に偏光軸を持ち、右眼用の偏光フィルタ６０Ｒは１３５度方向に偏光軸を持つ。また、屈折矯正検査のために、左右の検査窓に球面レンズ等の矯正レンズが切換え配置される自覚式屈折力検眼装置（ホロプター）２００が使用される場合において、両眼視機能検査時には、偏光眼鏡６０と同じく、左右の検査窓２０１Ｌ，２０１Ｒに直交する偏光軸を持つ偏光フィルタがそれぞれ切換え配置される。
【００１１】
図２は、呈示部３の構成と装置の制御系ブロック図を示す図である。呈示部３は、カラーの液晶ディスプレイ３０と、ディスプレイ３０の前面に配置されたシート状の偏光光学部材５０により構成される。偏光光学部材５０は、少なくともディスプレイ３０に表示される視標呈示面をカバーする大きさを持つ。ディスプレイ３０、受信部５は制御ユニット２０に接続される。制御ユニット２０は、様々な視標パターンを記憶するメモリ２１やリモコン４からの指令信号を解読するデコーダ回路等を備える。制御ユニット２０は、リモコン４からの視標切換え信号等の入力により、ディスプレイ３０の各画素４２の表示を制御する。
【００１２】
リモコン４には、ディスプレイ３０に表示される視標を選択するための複数のスイッチ４ａと、選択された視標やスイッチによる操作の状況を表示する液晶ディスプレイ４ｂと、スイッチ信号を赤外光に送信する送信部４ｃが配置されている。
【００１３】
図３（ａ）は、ディスプレイ３０の構成図であり、縦断面図として示されている。ディスプレイ３０の中央に配置された液晶３１の後面側には、配向膜３２ａ、透明電極３３ａ、透明な支持材３４ａ、水平方向に偏光軸を持つ第１偏光板３５ａ、バックライト３６が順に配置されている。液晶３１の前面側には、配向膜３２ｂ、透明電極３３ｂ、１画素毎にＲＧＢの各フィルタが配置されたカラーフィルタ４０、透明な支持材３４ｂ、垂直方向に偏光軸を持つ第２偏光板３５ｂが順に配置されている。第２偏光板３５ｂは、第１偏光板３６ａに対して偏光軸が直交する関係で配置されている。透明な支持材３４ａ，３４ｂには、例えば、厚さ１ｍｍ程度のガラス板やセルロースアセテートブチレート（ＣＡＢ）板等が使用される。偏光光学部材５０は、第２偏光板３５ｂの前面に貼り付けられている。
【００１４】
図３（ｂ）は、カラーフィルタ４０の配置を示す図である。カラーフィルタ４０は、1画素４２の領域にＲ（赤色）フィルタ４１Ｒ、Ｇ（緑色）フィルタ４１Ｇ、Ｂ（青色）フィルタ４１Ｂを１セットとして構成されている。そして、本装置のディスプレイ３０は、１画素４２毎にＲフィルタ４１Ｒ、Ｇフィルタ４１Ｇ、Ｂフィルタ４１Ｂが縦方向（Ｙ方向：上下方向）に順に並ぶように、筐体２に配置されている。透明電極３３ａには、各フィルタ４１Ｒ，４１Ｇ，４１Ｂの配列に対応させて個別に制御可能な電極が配置されており、透明電極３３ａが持つ電極を個別に制御することにより、液晶３１の液晶分子の配列が変えられ、第１偏光板３５ａ、液晶３１及び第２偏光板３５ｂを経ることにより、各フィルタに対応する光の光量が変えられる。これにより、１画素４２におけるカラーが自在に表現される。
【００１５】
なお、上記のディスプレイ３０としては市販のものが使用可能である。市販のディスプレイは、通常、ＲＧＢの各フィルタ４１Ｒ，４１Ｇ，４１Ｂが横方向に順に並べられた状態（ＲＧＢが縦ストライプとなる状態）で、例えば、１２８０×１０２４ピクセルのように、横長として使用されるものである。市販のディスプレイを使用するときは、従来の通常の使用状態に対して、ディスプレイを９０°回転させて縦長に配置することにより、図３（ｂ）のように、ＲＧＢの各フィルタ４１Ｒ，４１Ｇ，４１Ｂが縦方向に順に配置されるようにすることができる。
【００１６】
また、ＲＧＢの各フィルタ４１Ｒ，４１Ｇ，４１Ｂの配列方法には、ＲＧＢの同一色を斜めに配置するモザイク配列等、他の配列方法もあるが、何れの場合であっても良い。
【００１７】
次に、偏光光学部材５０の構成について説明する。図２において、ディスプレイ３０からは、第２偏光板３５ｂにより所定の方向（垂直方向、水平方向又は斜め４５度方向）に偏光軸（偏光面）を持つ直線偏光が出射される。本実施形態では、垂直方向の偏光軸を持つ光が出射される。偏光光学部材５０は、ディスプレイ３０が持つ画素４２の大きさに対応して縦方向（上下方向：図２上のＹ方向）に延びるライン状で、且つ交互に配置された２種類の光学領域５５ａ，５５ｂを持つ。光学領域５５ａ，５５ｂは、ディスプレイ３０からの光を通過させるときに、互いに直交する偏光軸を持つ直線偏光に変換する機能を持つ。本実施形態では偏光光学部材５０として、位相差機能を持つ１／２波長板と同等の機能を有するものを使用している。１／２波長板は、周知のように入射光の偏光面が１／２波長板の高速軸（或いは低速軸）に対して角度θで入射したときに、その振動方向を２×θ回転させる。すなわち、１／２波長板は、入射光の偏光方向に対して高速軸（或いは低速軸）である光学的主軸方向を傾斜させることにより、入射光の偏光軸方向（振動方向）を回転させる機能を持つものであり、入射光の光量をそのまま維持できる特性を持つ。
【００１８】
図２において、縦ライン状の第１光学領域５５ａは右眼用光学領域であり、その光学的主軸方向は、偏光眼鏡６０が持つ右眼用の偏光フィルタ６０Ｒの偏光方向１３５度と一致した偏光方向の光に変換するように配置されている。一方、光学領域５５ｂは左眼用光学領域であり、その光学的主軸方向は、偏光眼鏡６０が持つ左眼用の偏光フィルタ６０Ｌの偏光方向４５度と一致した偏光方向の光に変換するように配置されている。このため、被検者が左右の眼前にそれぞれ配置された偏光フィルタ６０Ｌ及び６０Ｒを通して呈示部３の表示を見ると、左眼には偏光フィルタ６０Ｌを通過可能な光学領域５５ｂからの出射光のみが視認され、光学領域５５ａからの出射光は偏光フィルタ６０Ｌによりカットされ、視認されない。逆に、右眼には偏光フィルタ６０Ｒを通過可能な光学領域５５ａからの出射光のみが視認され、光学領域５５ｂからの出射光は偏光フィルタ６０Ｒによりカットされ、視認されない。これにより、被検者の左右眼にそれぞれ異なる視標を呈示できる。
【００１９】
なお、ディスプレイ３０から４５度方向の偏光軸を持つ光が出射されるときは、光学領域５５ａについては、位相差機能を持たずに、４５度の偏光軸方向を維持したまま通過させる光学部材として構成してもよい。
【００２０】
また、図２の例における光学領域５５ａ，５５ｂの横サイズｄ２は、ディスプレイ３０の１画素４２の横サイズｄ１に対応して略同一としたものであるが、検査距離だけ離れた被検者眼に光学領域５５ａ，５５ｂが区別されないほど微細であれば、ディスプレイ３０が持つ１画素４２の整数倍の領域をカバーするように構成しても良い。
【００２１】
また、ディスプレイ３０として液晶ディスプレイを使用したが、プラズマディスプレイ、有機ＥＬディスプレイ、ＳＥＤディスプレイ等も使用可能である。液晶ディスプレイ以外のディスプレイから出射される光が直線偏光の特性を持たない場合、ディスプレイ３０と偏光光学部材５０との間に偏光板を配置すればよい。
【００２２】
なお、偏光光学部材５０として、特開平７−３２２３０４号公報と同じく、光学領域５５ａに４５度方向の偏光軸を持つ偏光板を配置し、光学領域５５ｂに１３５度方向の偏光軸を持つ偏光板を配置して構成することもできる。
【００２３】
次に、偏光眼鏡６０が使用される両眼視機能検査について説明する。両眼視機能検査視標としては、不等像視検査視標、斜位検査視標、両眼バランス検査視標、立体視検査視標等の様々のものが用意されているが、ここでは、図４に示される立体視検査視標１００を例にとって説明する。この立体視検査視標１００においては、画面の左上の視標１０１ａ及び左下の視標１０２ａを、右眼用偏光フィルタ６０Ｒを通して右眼ＥＲに視認させる。また、画面の右上の視標１０１ｂと右下の視標１０２ｂを、左眼用偏光フィルタ６０Ｌを通して被検者の左眼ＥＬに視認させる。視標１０１ａ及び視標１０１ｂは、同一形状且つ同一色であり、所定の立体視差を持つように左右の距離が離されて表示される。また、視標１０２ａ及び１０２ｂも、同一形状且つ同一色であり、所定の立体視差を持つように左右の距離が離されて表示される。画面中央の視標１０３は、右眼及び左眼の両方に視認させる融像刺激視標としての固視点である。
【００２４】
この視標１００において、立体視が正常な被検者が右眼ＥＲで視標１０１ａ及び視標１０２ａが見え、左眼で視標１０１ｂ及び視標１０２ｂが見える場合、両眼で見える視標１０３に対して、距離Ｌ１の位置に浮き上がった視標１０１及び距離Ｌ２の位置に浮き上がった視標１０２が視認される。距離Ｌ１，Ｌ２の浮き上がり量が判断できるかにより、立体視の検査が行われる。
【００２５】
このような視標の呈示による両眼視機能検査において、図５は、通常のディスプレイの使用状態と同じく、ＲＧＢの各フィルタ４１Ｒ，４１Ｇ，４１Ｂが横方向に順に並べられた状態でディスプレイ３０を配置すると共に、各画素４２の縦幅に対応した同一の幅を持つ右眼用光学領域５５ａと左眼用光学領域５５ｂが横ライン状に交互に位置するように偏光光学部材５０を配置した場合である。この場合、前述したように、被検者の身長差により眼の高さが大きく異なると、偏光眼鏡６０を介して右眼用光学領域５５ａ及び左眼用光学領域５５ｂからの視標を左右眼で分離して見ることができず、両眼視機能検査を正確に行えない。検査距離を５ｍとした場合、被検者の眼の高さが２０ｃｍ以上変化すると、左右眼での視標の分離ができなくなっていた。
【００２６】
これに対して、図２に示したように、右眼用光学領域５５ａ及び左眼用光学領域５５ｂが縦方向に延びるライン状に交互に配列されるように偏光光学部材５０を配置することにより、被検者の眼の高さの違いによる問題が解決できる。すなわち、図２の配置とすれば、それぞれの画素４２から出射した光について、縦方向においては、右眼用光学領域５５ａ又は左眼用光学領域５５ｂを通過するので、被検者の眼の高さが大きく変化しても、偏光眼鏡６０を介して右眼用光学領域５５ａ及び左眼用光学領域５５ｂからの視標を左右眼で分離して見ることができる。
【００２７】
なお、光学領域５５ａ，５５ｂを縦方向に延びるライン状に配置したことにより、今度は横方向で同種の問題が発生すると考えられる。しかし、視力検査及び両眼視機能検査は、被検者の顔を視標呈示部３のほぼ正面に位置させ、被検者の違いによる横方向の眼の差は少ないので、実用的に問題なく使用可能である。
【００２８】
ここで、ディスプレイ３０の配置については、従来と同じく、ＲＧＢの各フィルタ４１Ｒ，４１Ｇ，４１Ｂが横方向に順に並べられた状態とし、偏光光学部材５０のみ、図２のように、光学領域５５ａ，５５ｂを縦方向に延びるライン状に配置したところ、「色のにじみ」が大きく発生する新たな問題が分かった。以下、この問題とその対応を図７により説明する。
【００２９】
図７（ａ）において、ディスプレイ３０の各画素４２におけるＲＧＢの各フィルタ４１Ｒ，４１Ｇ，４１Ｂは横方向に順に並べられて配置され、ライン状の光学領域５５ａ，５５ｂも横方向に交互に配置されている。図７（ｂ）は、図７（ａ）に対して、ライン状の光学領域５５ａ，５５ｂが縦方向に交互に配置されたパターンである。なお、ライン状の光学領域５５ａ，５５ｂは隣接して製作されるものであるが、図７（ａ）、（ｂ）においては、説明の便宜上、離されて図示されている。
【００３０】
ここで光が出射される発光部分であるカラーフィルタ４０と偏光光学部材５０との間に透明な支持材３４ｂの厚み分の隙間があるため、隣り合って配置された光学領域５５ａ，５５ｂからの光漏れが発生する。図７（ａ）の場合、光学領域５５ａ及び５５ｂの境界で隣り合うカラーフィルタ４０は、フィルタ４１Ｒ，４１Ｇ，４１Ｂの３色であり、全ての境界部分で画素毎に同色である。このため、光漏れがあっても色の偏りがない。一方、図７（ｂ）の場合、光学領域５５ａ及び５５ｂの境界で隣り合うカラーフィルタ４０は、緑色のフィルタ４１Ｇと青色のフィルタ４１Ｂとなっている。このため、前述の光漏れにより、偏光眼鏡６０を通して眼に入る光の色に偏りが生じ、「色のにじみ」として視認される。例えば、本来、白色表示である部分に虹色のように色が付いたように見えたり、光学領域５５ａを黒色表示し、光学領域５５ｂを白色表示した部分が青色や黄色に見えたりする。
【００３１】
そこで、ライン状の光学領域５５ａ，５５ｂを縦方向に交互に配置する場合には、図７（ｃ）のように、各フィルタ４１Ｒ，４１Ｇ，４１Ｂも縦方向に順に並ぶようにディスプレイ３０を配置する。これにより、光学領域５５ａ及び５５ｂの境界で隣り合うＲＧＢのカラーフィルタ４０は画素毎に同色となり、図７（ａ）の場合と同様に、色の偏りがなくなる。このため、色のにじみの発生を抑えることができる。
【００３２】
次に、図２に示したディスプレイ３０及び偏光光学部材５０の配置による両眼視機能検査視標の呈示状態について、図４に示される立体視視標１００を例にして説明する。図８（ａ）は、呈示部３に呈示される図４の視標１０１ａについて、右眼用偏光フィルタ６０Ｒを介して右眼ＥＲで視認される状態を示す図である。図８（ｂ）は、同じく視標１０１ａについて、左眼用偏光フィルタ６０Ｌを介して左眼ＥＬで視認される状態を示す図である。
【００３３】
視標１０１ａは右眼ＥＲにのみに視認させる視標であるため、右眼用光学領域５５ａにおいてのみ黒色で表示されるようにディスプレイ３０の表示が制御される。右眼用光学領域５５ａにおける視標１０１ａ以外の部分及び左眼用光学領域５５ｂは、白地で表示されるようにディスプレイ３０の表示が制御される。この場合、右眼用光学領域５５ａからの視標光は偏光フィルタ６０Ｒを通過して右眼ＥＲに届く。そして、左眼用光学領域５５ｂからの白色光は、偏光フィルタ６０Ｒにより遮られる。このため、図８（ａ）における左眼用光学領域５５ｂについては黒色となるが、光学領域５５ａ，５５ｂの幅が十分に細かく、右眼用光学領域５５ａからの白色光が強いため、右眼ＥＲには白地背景の中に視標１０１ａが視認される。
【００３４】
一方、図８（ｂ）において、右眼用光学領域５５ａからの視標光及び背景の白色光は、偏光フィルタ６０Ｌにより遮られる。左眼用光学領域５５ｂからの白色光は偏光フィルタ６０Ｌを通過して左眼ＥＬに届く。このため、右眼用光学領域５５ａについては黒色となるが、左眼用光学領域５５ｂからの白色光が強いため、左眼ＥＬにおいては、視標１０１ａは視認されず、白地背景として視認される。
【００３５】
他の視標１０１ｂ、１０２ａ、１０２ｂについても上記と同様な方法によりディスプレイ３０の表示が制御される。このような表示により、右眼ＥＲに視標１０１ａ及び視標１０２ａが呈示され、左眼ＥＬに視標１０１ｂ及び視標１０２ｂが呈示される。このため、被検者は両眼で見える視標１０３に対して、視標１０１及び視標１０２を立体視できる。
【００３６】
次に、ディスプレイ３０の配置を従来技術の使用状態に対して時計回り又は反時計回りの方向に９０度回転したことに伴う視標の表示について説明する。
【００３７】
図９（ａ）は、従来技術に従ったディスプレイ３０の配置による検査視標の表示であり、方向性を持つ視標１０がリモコン４により選択された場合である。メモリ２１には検査視標データが記憶されている。制御ユニット２０はリモコン４のスイッチ４ａによる視標の選択信号に基づいてメモリ２１に記憶された視標データを呼び出し、ディスプレイ３０に視標を表示させる。この例では、右方向に切れ目を持つランドルト環視標１０が表示されている。この場合、ディスプレイ３０は、矢印Ｓで示されるように、左から右に各画素の表示が走査されるように制御ユニット２０により制御され、メモリ２１にはその表示信号の走査に対応して右方向に切れ目を持つランドルト環視標１０の視標データが記憶されている。なお、ＲＧＢの各フィルタは、図５及び図７（ａ）のように、横方向に順に並べられた状態で配置されている。
【００３８】
図９（ｂ）は、図２のように、ＲＧＢの各フィルタが縦方向に並べられるべく、図９（ａ）の状態のディスプレイ３０を、例えば、反時計回りに９０度回転させた場合である。この場合、各画素の表示信号は下から上に走査されることになる。このとき、メモリ２１に記憶された視標データが図９（ａ）の場合と同じであり、制御ユニット２０による表示制御も同じであると、上方向に切れ目を持つ視標１０として表示されてしまう。この場合、方向性を応答させる視力検査が正確に行えない。
【００３９】
方向性を持つ視標１０の表示をリモコン４で選択されたものと一致させる対応として、次の２つの方法を取ることができる。第１の方法は、リモコン４による選択視標に対応してメモリ２１に記憶しておく視標データについて、ディスプレイ３０の回転方向に対して反対方向に９０度回転させたデータとして予め構成しておく方法である。ディスプレイ３０が反時計回りに９０度回転して配置されている場合、図９（ｃ）のように、ディスプレイ３０の回転前の状態では下向きに切れ目を持つ視標１０を表示させるように視標データを構成してメモリ２１に記憶させておく。これにより、ディスプレイ３０を回転後には、図９（ｄ）のように、リモコン４で選択した視標と同じ方向を持つ本来の視標が表示される。
【００４０】
第２の方法は、メモリ２１に記憶される視標データは図９（ａ）の場合と同様にそのままであるが、制御ユニット２０がメモリ２１から視標データを呼び出してディスプレイ３０に表示させる際に、視標をディスプレイ３０の回転方向と反対方向に回転させて表示する方法である。ただし、ディスプレイ３０の全画素の表示を回転させてしまうと、縦横の画素数（サイズ）が一致しないので、例えば、視標１０を含む領域で、且つ縦横の画素数（サイズ）を同一とした領域Ｍ（図９（ａ）参照）を切り出し、その領域Ｍの視標データをディスプレイ３０の回転方向と反対方向に９０度回転させて表示する。この方法の表示制御プログラムを制御ユニット２０に持たせておくことにより、メモリ２１に記憶された多数の視標データを構成し直すことなく対応できるので、汎用性を持たせることができる。以上のような対応により、方向性を持つ視標を表示する場合にも適切な検査が行える。方向性を持つ視標は、視力検査視標に限らず、両眼視機能検査視標も含まれる。
【図面の簡単な説明】
【００４１】
【図１】視標呈示装置の外観略図である。
【図２】視標呈示装置の呈示部の構成と制御ブロックを説明する図である。
【図３】ディスプレイの縦断面図とカラーフィルタを説明する図である。
【図４】両眼視機能検査視標の例とその検査を説明する図である。
【図５】従来技術に従った視標呈示部のディスプレイと偏光光学部材の配置構成を説明する図である。
【図６】従来技術に従った図５のディスプレイと偏光光学部材の縦断面の略図である。
【図７】ＲＧＢの各フィルタの配列に対する偏光光学部材の配置と、色にじみの発生の関係を説明する図である。
【図８】本発明による両眼視機能検査視標の呈示状態を説明する図である。
【図９】ディスプレイを従来技術の使用状態に対して９０度回転したことに伴う視標の表示について説明する図である。
【符号の説明】
【００４２】
１  視標呈示装置
３  呈示部
４  リモコン
３０  液晶ディスプレイ
４０  カラーフィルタ
４１Ｒ  赤色フィルタ
４１Ｇ  緑色フィルタ
４１Ｂ  青色フィルタ
４２  画素
５０  偏光光学部材
５５ａ  右眼用光学領域
５５ｂ  左眼用光学領域
６０  偏光眼鏡
１００  立体視検査視標
【図１】
0005209239.tif 000002
【図２】
0005209239.tif 000003
【図３】
0005209239.tif 000004
【図４】
0005209239.tif 000005
【図５】
0005209239.tif 000006
【図６】
0005209239.tif 000007
【図７】
0005209239.tif 000008
【図８】
0005209239.tif 000009
【図９】
0005209239.tif 000010